(57)【要約】【課題】腰から下半身にかけて脚筋肉をストレッチし、衰えるバランス感覚を増大し、転倒を無くし、併せて身体感覚を補強することを目的とする。【解決手段】足置き回転板１ａ上に設定された胴支持枠４の中に身体を挿入し、枠を手に持ちながら、または、放したまま、０度から３５度の自己に適した運動角度を選定して回転板１を傾斜させた後、足置き回転板１ａを１〜５ｒ．ｐ．ｍ／１分間の間にて自分に適した運動速度を選定したのち、足置き回転板１ａを正転・逆転、または、連続回転させ、下半身の筋肉、並びに平行バランス感覚を養い、脳神経の回復をもめざした健康運動を助成する。【選択図】図１
2004016803.tif 000002
【特許請求の範囲】
【請求項１】
足を載せる足置き場（１）と、足置き場上に設定された胴支持枠（４）からなり、この胴支持枠（４）の中に身体を入れ、枠を手に持ちながら、または、手に持たないで、足置き場（１）を０度から３５度の斜め角度にて、自己に適した角度を選定し、角度を固定したのち、足置き回転板（１ａ）を１〜５ｒ．ｐ．ｍ／１分間の間にて回転速度を設定したのち、足置き回転板（１ａ）を正転・逆転、または、連続回転させ、下半身の筋肉、並びに平衡バランス感覚を養うことを特徴とするバランス感覚健康運動器具。
【請求項２】
胴支持枠（４）を、足置き回転板（１ａ）に立つ人の下半身部分の重量負担を少しでも和らげ、高齢者にも最適に機能するように、お尻を軽く支えるための傾斜支持機能を備えた胴支持枠（４ａ）に設定することもできる機能を備えた請求項１記載のバランス感覚健康運動器具。
【請求項３】
回転、または正転・逆転する足置き回転板（１ａ）の上面に、更に、回動可能な足方向選択回転板（１８）、（１９）を組み合わせ設けることにより、足首の捩りを和らげ、左脚と右脚の高低動作だけを主に感じさせる高齢者向け機能を備えた請求項１、請求項２記載のバランス感覚健康運動器具。
【請求項４】
胴支持枠（４）を、左右に細かく微量振動をさせ、腰、又は背中に、振動モミ機能を付加させる構造を有する請求項１、請求項２、請求項３記載のバランス感覚健康運動器具。
【発明の詳細な説明】
【０００１】
【発明の属する技術分野】
本発明は、起立状態にて両足の立ち面を種々の高さに、両足の指先、踵面を、内側面に、また、外側面に種々の傾斜状態に、また、平行状態にて行わせることにより、身体の土台である脚足のバランス感覚に変化を種々与えることにより、下半身にかけての種々の作用を身体に与え、人々の健康増進、下半身の骨格の強化、バランス感覚の増進に貢献し、今までの健康器具に無い頭脳活性化および、平衡感覚の増進に貢献し、高齢者が一番陥りやすいボケ防止に貢献するバランス感覚健康運動器具に関する。
【０００２】
【従来の技術】
今までは、腰痛を防止させる椅子として、背もたれがあり、その椅子から腹をベルトにて締め付けて対処したもの（特願平８−３２０８５３）、器具で両側から骨盤を固定したもの、或いは肘を曲げ起立状態にして対処させるもの、立って行なう軽度の下半身から上半身にかけての筋肉ストレッチを解消する手段、足にバンドを掛けた状態にて引っ張って、背筋を測定するときの格好にして引張る方法等あったが、高齢者が無理なく適度のストレッチを行うためには、健康効率から十分とは言えなかった。
【０００３】
【発明が解決しようとする課題】
そのため、今までの方式ではなく、腰より下の脚部を補強し、併せて、筋肉トレーニングをも目指したものとして、転倒防止のため足にバンドを掛けて吊り上げ、人体の胴部を確実に支持した状態に吊り上げ行う（特願２０００−５９３２７１健康器具）とか、足を載せる足置き台と、載る人を支える杖部分と、足置き台を単に傾斜させ、この上に人を立たせるストレッチ健康器具（特願平９年−９９６４５）、更には、実用新案として、人が起立状態に乗り、開脚位置決めを健康的に行えるようにして姿勢よく立たせ、身体の土台である足首の関節を強く整えてゆく（実開平６−４１７１３健康器具）が提案されている。
【０００４】
そこで本発明は今までの出願とは異なり、高齢者が楽に健康器具に長時間立っても、足を回転させる運動が自分ではできない人でも、スローで自身でたったまま、今までの平衡感覚をかえることができる、バランス感覚補強のための健康器具を一般に提供することにある。
【０００５】
【課題を解決するための手段】
上記目的を達成するために、本発明は、従来の束縛方式健康椅子と異なり、下記に示す手段を行う事により、今までの装置では得ることできなかった効果を得ることができる。
（１）自分の有している身体の平衡感覚に合わせて斜めの足置き回転板１ａの傾斜角度を選定し、即ち、自身の年齢に合わせた角度と足置き場１の回転および正転・逆回転の選択、並びにその駆動速度・駆動時間を自身で設定した回転動作により、平衡になろうという積極的な動きが体験され、今までにない平衡バランス感覚が養える。
（２）ゆっくりとした動きで足置き場１が回動し、足の置く位地によって身体への重力のかかり具合が感ぜられ、それによってバランス感覚の衰えが蘇る。
（３）足の裏からの刺激と、左右の反復回転により脳神経を刺激し、回復の役割をする。
（４）足に踏ん張って入れる力のため筋肉がつく。筋肉のトレーニングとなる。
（５）足首が伸縮するため適度な運動となる。運動不足解消、リハビリ用最適。
【０００６】
上記目的を達成するために、本発明に係るバランス感覚健康運動器具は、動作のため下記の実施手段を施した。
（１）足置き場１の足置き回転板１ａの傾斜角度を０度から３５度の範囲に自由に電動スイッチ５にて段階的に選定できる。
（２）足置き場１の足置き回転板１ａの回転動作を一定方向にするのか、どの角度にて正転させてから逆転させるのか、電動スイッチ５にて自動設定を自身で選定できる。
（３）自分の背の高さに合わせた胴体支持枠４は、枠内に立って身体が揺れ動いても枠に身体が触れない大きさに、もたれることもできる構造に設定されている。
（４）胴体支持枠４は足置き場１に立つ下半身部分の重量負担を少しでも和らげ高齢者にも最適に機能するように、お尻を軽く支える機能をも備えた４ａ形態に設定されている。
（５）足置き回転板１ａの回転により一定の間隔に開かれた左足２３と右足３４は回転板１ａの面に体重にて確り方向が固定されているため、脚が捩られる　　機能を有している。
（６）回転板１ａの面に更に回動可能な足方向選択回転板１８、１９を設けることにより、身体と同じ方向に足先を向けたまま、左脚と右脚の高低差を主に感じさせる和らいだ機能をも有している。
（７）足方向選択回転板１８だけ設定し、片方の脚だけ自由にして、外の脚は本発明の主機能を体験させ、両機能を同時に体験できる機能も有している。
（８）足方向選択回転板１８に両足をのせ機能させることも可能である。
（９）また、足方向選択回転板１８、１９を使用せず、回転板１ａの面に直接両足を並べて機能させることも本発明でもできることは勿論である。
【０００７】
【発明の実施の形態】
【０００８】
【作用】
本発明は、上記の手段を講じたので、本発明のバランス健康運動器具は、従来の健康椅子とは異なり、背もたれ構造の椅子でなく、立受機能を効果的活用し、従来の固定した足設定方式とは異なる身体のバランス神経と脳神経の強化、立脚機能の強化、老化現象の防止等の健康作用を誰でも簡単に得ることができる。
【０００９】
【実施例】
以下、図１、図２、図３、図４、図５、図６、図７、図８、図９、図１０、図１１、図１２に示す実施例についてさらに詳細に説明する。
【００１０】
【実施例１】
本発明に係る基本となるバランス感覚補強健康器具を図１から図３に示し、この健康器具は、０度から３５度の間の傾斜状態に選定され、角度を固定された足置き回転板１ａの上に、股を広げ、図１に示す左足２３右足２４の形態を維持しつつ、足置き回転板１ａを、電動スイッチ５にて右回転・左回転動作、又は、連続して右数回転、連続して左数回転させる機能を備えている。
【００１１】
一例として図１の状態に足置き回転板１ａに乗った人が、左に約７０度回転した人の身体の状態図を図３に示す。
右足２４は上方に押し上げられ、左足２３は下方に押し下げられた状態となっている、しかし、右足面は回転板１ａの上に吸い付けられ、固着した状態を維持しており、左足面も回転板１ａの上に吸い付けられていることが判る。
【００１２】
その結果、乗った人は右足２４首から右脚部、左足２３首から左脚部、軽い捩り力を感ずると同時に、右足２４と左足２３との高低感を強く感じさせられ、それと共に、左足２３に身体２２の重量移動感を感じるようになる。
【００１３】
胴支持枠４の中に乗った人は、回転板１ａの作動中に図１のように、枠に手をにぎり身体のバランスを維持しても、また、図３のように胴支持枠４の中に身体を入れるだけで手を中ぶらりん状態に保ち、今までの健康器具にはなかった、身体のバランスを維持し続ける動作を行うことにより、全く新しい平衡バランス感覚を養うことができる、高齢者には嬉しいバランス感覚健康運動器具と言える。
【００１４】
図２は本発明の足置き回転板１ａを回転・正転・逆転動作をさせる回動機能、回転板１ａを傾斜させる機能をもった装置を示し、駆動用モータ１１、駆動減速機構９、駆動クラッチ１０を備え、回転板設置円盤７を１分間に１〜５回の回転速度内にて選定し、装置の回転・正転・逆転動作を乗った人が自身で自由に選択設定することができる。
【００１５】
駆動機能は中心部に円盤駆動装置支持軸１２があり、台座側板１５、１６にて支持され、軸１２の他端に円盤角度設定レバー１４、円盤角度設定機能のピン１３ａ、穴１３ｂ、ピン引出機能１３ｃにて回転板設置円盤７を０度から３５度の範囲にて段階的に角度設定を行わしむる。
【００１６】
図２は回転板設置円盤７の上に足置き回転板１ａをセットする構造を示しているが、勿論、円盤駆動軸８に直接回転板１ａをセットしても同じ動作を行うことができる。
【００１７】
【実施例２】
図４に、胴支持枠４を足置き回転板１ａに立つ人の、下半身部分の重量負担を少しでも和らげ、高齢者に最適に機能するように、お尻を軽く支えるため、胴支持枠４の先端を図の４ａに示す位置まで押し下げ、角度設定板４ｂ、セットボルト４ｃにて固定して設定する機能を示す。
この機能を高齢者に広めることにより、脚足の運動、平衡感覚、体脂肪がとれる、気持ちが良くなる等、今までの発明にはない、高齢者にも喜ばれる健康器具を提供できたと言える。
【００１８】
【実施例３】
図５、図６、図７、図８、図９、図１０に本発明のバランス感覚健康運動機能を種々の形式にて使用できる機能について説明する。
【００１９】
図５、図６に本発明の実施例１、実施例２で記述した足置き回転板１ａの上面に、足２３、２４を圧着させて運動させる請求項１の動作機能と異なり、回転または正転・逆転する足置き回転板１ａの上面に、軸受け穴２０を設け、この穴に球２１を挿入し、足方向選択回転板１８の回転駆動軸１８ａを回転自在にし、回動可能な足方向選択回転板１８、１９を組み合わせ設けることにより、これに乗せた足２３、２４は、足置き回転板１ａが回動中でも、いつも一定の方向に向くよう設置することが可能となる。脚を曲げる事なく、足置き回転板１ａの回転による左足２３、右足２４の上下駆動作だけによる高齢者向け健康運動器具には最適と言える。
【００２０】
図６は上記足方向選択回転板１８、１９を使用しない場合は回転板１８、１９を取外した状態を示し、取外すことにより実施例１に示す機能を維持できる。
【００２１】
図７、図８は足方向選択回転板１８、１９を使用した場合の足方向の維持形態を示し、図９、図１０は足方向選択回転板１８だけを使用した場合は右足、左足の維持形態が異なることを明記している。
【００２２】
図１１、図１２は足方向選択回転板１８に左足２３、右足２４を並べて乗せた場合の状態を示し、図１２に示す足方向選択回転板１８の足先方向と回転板１８の回転する状況を見れば、本発明と実施例２と共用すれば、高齢者に最も適した運動方式と言える。
【００２３】
【発明の効果】
本発明の機能を用いて実施することにより、誰にでも下記に示す種々の効果を得ることができる。
（１）立っている足元面の角度・回転など、調節が簡単にできるため、高齢者の運動・リハビリにも最も適している健康器具と思われる。
（２）本発明によって運動することにより、身体が熱くなり、脂肪がもえているのが感じられる。
（３）平衡感覚もますます良くなり、転倒がなくなる効果がある。
（４）精神的ストレッチの解消運動になる。
（５）重力を感ずることにより、骨祖鬆症が防げる。
（６）本発明により運動することにより、腰周りと上半身のゼイ肉もとれる。
【図面の簡単な説明】
【図１】本発明のバランス感覚健康運動器具の構造を示す側面図である。
【図２】本発明に用いる足置き台の駆動装置とその構成を示す構造図である。
【図３】本発明のバランス感覚健康運動器具を回動する場合の人体に及ぼす影響を示す説明図である。
【図４】本発明のもたれて斜傾した場合の、人体に及ぼす影響を示す説明図である。
【図５】本発明の足置き台に円盤を装着した構造を示す説明図である。
【図６】本発明の足置き台が円盤に装着されない場合を示す説明図である。
【図７】本発明の足置き台に円盤を装着する場合の両足先方向を示す説明図である。
【図８】本発明の足置き台に円盤を装着し回動した場合の両足先方向を示す説明図である。
【図９】本発明の足置き台に円盤を片側だけに装着し回動する場合の両足先方向を示す説明図である。
【図１０】本発明の足置き台に円盤を片側だけに装着し回動した場合の両足先方向を示す説明図である。
【図１１】本発明の足置き台に円盤を装着し両足を並べて回動する場合の説明図である。
【図１２】本発明の足置き台に円盤を装着し両足を並べて回動した場合の身体の動き作動を示す説明図である。
【符号の説明】
１・・・・・・足置き場
１ａ・・・・・足置き回転板
２・・・・・・基台部
３・・・・・・ハンドルスタンド
４、４ａ・・・胴支持枠
４ｂ・・・・・角度設定板
４ｃ・・・・・セットボルト
５・・・・・・電動スイッチ
６・・・・・・底面
７・・・・・・回転板設置円盤
８・・・・・・円盤駆動軸
９・・・・・・駆動減速機構
１０・・・・・駆動クラッチ
１１・・・・・駆動用モータ
１２・・・・・円盤駆動装置支持軸
１３ａ、１３ｂ、１３ｃ・・・・・円盤角度設定機能
１４・・・・・円盤角度設定レバー
１５・・・・・台座側板
１６・・・・・台座側板
１７・・・・・台座底板
１８・・・・・足方向選択回転板
１８ａ・・・・回転駆動軸
１９・・・・・足方向選択回転板
２０・・・・・軸受け穴
２１・・・・・球
２２・・・・・身体
２３・・・・・左足
２４・・・・・右足
【図１】
2004016803.tif 000003
【図２】
2004016803.tif 000004
【図３】
2004016803.tif 000005
【図４】
2004016803.tif 000006
【図５】
2004016803.tif 000007
【図６】
2004016803.tif 000008
【図７】
2004016803.tif 000009
【図８】
2004016803.tif 000010
【図９】
2004016803.tif 000011
【図１０】
2004016803.tif 000012
【図１１】
2004016803.tif 000013
【図１２】
2004016803.tif 000014